(57)【特許請求の範囲】
【請求項１】
ケース本体を形成するプラスチックダンボールと、プラスチック製のコーナー部材およびフレーム部材を用いてなる組立式ケースのコーナー部構造において、
上面が開口し底壁部と周壁部とで囲んで組み立てられたケース本体のコーナー部で、隣接する一対の周壁部の上縁部にそれぞれ形成された切欠部と、
ケース本体のコーナー部で隣接する一対の周壁部に外嵌する嵌合溝を有する ソケット部と、該ソケット部の直交する横方向の両側で嵌合溝の開口部にそれぞれ基端が固定されて前記切欠部に嵌合し掛止められる一対の掛止突出片とを有するコーナー部材と、
前記周壁部の上縁部に沿って外嵌される外嵌溝を有し、前記切欠部に嵌合された掛止突出片の上面部および側面部を覆い、ソケット部の開口部の端面と接するフレーム部材とからなり、
前記掛止突出片の基端から周壁部に沿って延びる一方または双方の側面部に、フレーム部材との溶着時に溶融した樹脂を受け入れるための凹部が形成されており、
フレーム部材と掛止突出片の重なった部分で一体に溶着されてなることを特徴とする組立式ケースのコーナー部構造。
【請求項２】
ケース本体のコーナー部で隣接する一対の周壁部の一方または双方が複数のシート片からなっており、
切欠部が、複数のシート片の中の少なくとも１つのシ−ト片に形成されていることを特徴とする請求項１に記載の組立式ケースのコーナー部構造。
【請求項３】
固定手段が超音波溶着からなっており、掛止突出片の一方または双方の側面部に凹凸部または相互に離間した複数の突部が形成されてなることを特徴とする請求項１に記載の組立式ケースのコーナー部構造。
【請求項４】
ソケット部の縦断面がフレーム部材の端部の縦断面とほぼ同一に形成されており、切欠部に嵌合された掛止突出片にフレーム部材の端部側を外嵌した際に、フレーム部の上面および両側面が、ソケット部の上面および両側面と同一面となるように形成されていることを特徴とする請求項１に記載の組立式ケースのコーナー部構造。
【発明の詳細な説明】
【技術分野】
【０００１】
この発明は、組立式ケースのコーナー部構造の改良に関する。
【背景技術】
【０００２】
従来の通い箱等として用いられる組立式ケースは、プラスチック製の段ボール状のシート（プラスチックダンボール）にてＣ式形態の箱部分を組立て、その後箱部分の上縁部にチャンネル状のフレーム部材を嵌合し、またコーナー部分では、それぞれのフレーム部材の端部側にコーナー部材を外嵌しており、前記シートとフレーム部材とコーナー部材の３つを超音波やリベット・カシメピン（樹脂・金属）などによつてカシメることによりケースを完成している。
上記構成では、プラスチックダンボールで組み立てられたケースの上縁部に、フレーム部材とコーナー部材を順々に被せてからカシメているために、シート・フレーム部材・コーナー部材ごとに段差が生じるという欠点があった。
また、フレーム部材とコーナー部材とはそれぞれがフリーであるため、そのままの状態においてケースの寸法精度を出すのが難しいという問題点もあった。
【特許文献１】実開平３−７８７２６号
【発明の開示】
【発明が解決しようとする課題】
【０００３】
この発明は上記実情に鑑みてなされたもので、その主たる課題は、
ケースの間口寸法精度を出やすくした組立式ケースのコーナー部構造を提供することにある。
この発明の別の課題は、ケースの強度を保ちながら加工作業性の向上が図れる組立式ケースのコーナー部構造を提供することにある。
この発明の更に別の課題は、コーナー部材とフレーム部材同士の段差をなくした組立式ケースのコーナー部構造を提供することにある。
【課題を解決するための手段】
【０００４】
上記課題を解決するために、請求項１の発明では、
ケース本体を形成するプラスチックダンボールと、プラスチック製のコーナー部材およびフレーム部材を用いてなる組立式ケースのコーナー部構造において、
上面が開口し底壁部と周壁部とで囲んで組み立てられたケース本体のコーナー部で、隣接する一対の周壁部の上縁部にそれぞれ形成された切欠部と、
ケース本体のコーナー部で隣接する一対の周壁部に外嵌する嵌合溝を有する ソケット部と、該ソケット部の直交する横方向の両側で嵌合溝の開口部にそれぞれ基端が固定されて前記切欠部に嵌合し掛止められる一対の掛止突出片とを有するコーナー部材と、
前記周壁部の上縁部に沿って外嵌される外嵌溝を有し、前記切欠部に嵌合された掛止突出片の上面部および側面部を覆い、ソケット部の開口部の端面と接するフレーム部材とからなり、
前記掛止突出片の基端から周壁部に沿って延びる一方または双方の側面部に、フレーム部材との溶着時に溶融した樹脂を受け入れるための凹部が形成されており、
フレーム部材と掛止突出片の重なった部分で一体に溶着されてなることを特徴とする。
また、請求項２の発明では、
前記ケース本体のコーナー部で隣接する一対の周壁部の一方または双方が複数のシート片からなっており、
切欠部が、複数のシート片の中の少なくとも１つのシ−ト片に形成されていることを特徴とする。
更に、請求項３の発明では、
前記固定手段が超音波溶着からなっており、掛止突出片の−方または双方の側面部に凹凸部または相互に離間した複数の突部が形成されてなることを特徴とする。
また、請求項４の発明では、
前記ソケット部の縦断面がフレーム部材の端部の縦断面とほぼ同一に形成されており、切欠部に嵌合された掛止突出片にフレーム部材の端部側を外嵌した際に、フレーム部の上面および両側面が、ソケット部の上面および両側面と同一面となるように形成されていることを特徴とする。
【発明の効果】
【０００５】
この発明は上記のように、フレーム部材とコーナー部材による段差が解消されることにより、同一寸法のケースにおいて有効内寸を大きくすることができる。
また、上面開口を塞ぐ蓋や、パットの取付け時に隙間が生じることがなく、またケースの積み重ね時にも隙間なく重ねることができる。
また、フレーム部材とコーナー部材の取付け方法を変更したことにより、ケースの間口寸法精度が出しやすく、外観上も凹凸が無いことから、作業者の手指や着衣、その他の物が引っかかる虞れがなく安全であり、見た目もスッキリとした美観を呈することができる。
【発明を実施するための最良の形態】
【０００６】
以下に、この発明の組立式ケースのコーナー部構造の好適な実施の形態について図面を参照しながら以下に説明する。
【実施例１】
【０００７】
［組み立て式ケース］
組み立て式ケースは、図２に示すように、ケース本体１を形成するプラスチックダンボールからなるブランク８と、プラスチック製のコーナー部材１０およびフレーム部材２０との基本構成からなっている。
この発明でプラスチックダンボールとは、紙段ボールとほぼ同様に一対の平坦なプラスチックシート間をプラスチックの中芯でつないだ中空構造をしたものであって、例えば、波形をしたプラスチックの中芯の両側に２枚のプラスチックシートを貼り合わせたものや、２枚またはそれ以上のプラスチックシートを多数の平行なリブで接続したもの、多数の連続する凹凸形状（ハット形状）を有するプラスチックの中芯の両側に２枚のプラスチックシートを貼り合わせたものなどをいう。
【０００８】
［ケース本体］
ケース本体１は、本実施例の場合、底壁部２と、該底壁部２の縁部に沿って立ち上がる４つの周壁部３とで囲んで組み立てられて上面が開口しており、４つのコーナー部６を有する公知の形状からなっている。
そしてケース本体１の各コーナー部６で、隣接する一対の周壁部３、３の上縁部には、それぞれ切欠部４、４が形成されている（図１、図２参照）。
図示例で、上記切欠部４は矩形状に形成されている。
【０００９】
図４には、ブランク８の一例を示す。
このブランクは、図４（ａ）に示す第１ブランク８ａと、図４（ｂ）に示す第２ブランク８ｂとからなっている。
第１ブランク８ａは、中央に底壁部形成片２’が設けられ、その左右に左右の周壁部形成片３ａ’が折曲線Ｌ１に沿って折り曲げ可能に熱溶着されている。
第２ブランク８ｂは、ケース本体の前後となる周壁部形成片３ｂ’からなっており、組立に際しては同一形状のものが２つ用いられる。
【００１０】
そして、前記左右の周壁部形成片３ａの外側縁部の端部近傍と前後の周壁部形成片３ｂ’の上方の縁部の端部近傍にそれぞれ切欠部４が穿設されている。
なお、周壁部形成片３ｂ’の下方の縁部の端部に形成された切欠９は組立時に干渉しないためのものである。
なお、図中丸で囲んだ部分は、プラスチックダンボールの中芯の方向を示す。
【００１１】
上記形状のブランク８ａ、８ｂを用いて上面が開口し、底壁部２と、該底壁部２の縁部に沿って立ち上がる４つの周壁部３とを有するケース本体１が組み立てられる。
この発明で使用するブランクは上記実施例に限らず、底壁部形成片や周壁部形成片が全て分離しているもの、あるいは図６に示すように補強片を有するものなど、公知のブランクを用いることができる。
【００１２】
［コーナー部材］
コーナー部材１０は、本実施例では、図５（ａ）（ｂ）に示すように平面視略Ｌ字状からなっている。
このコーナー部材１０は、ケース本体１のコーナー部６で隣接する一対の周壁部３、３に外嵌するチャンネル状（図５（ｄ）参照）であって横断面略Ｌ字状に延びる嵌合溝１２を有するソケット部１１を有している。
ここで、コーナー部材１０の嵌合溝１２の幅は、嵌合する周壁部３の厚みに対応して定められる。
【００１３】
前記ソケット部１１は、その直交する横方向の両側で嵌合溝１２の開口部にそれぞれ基端が固定された一対の掛止突出片１３とを有している。
そして、該一対の掛止突出片１３は、前記一対の切欠部４にそれぞれ嵌合し、掛止められてコーナー部材１０の位置決めを行うことができ、後述のフレーム部材２０の寸法精度を高めることでケースの間口寸法の精度を高めることができる。
【００１４】
なお、図示例では、前記コーナー部材１０は、前記ソケット部１１の外周縁に沿って立ち上がる支承壁部１７を−体に形成しており、ケースのスタッキングに際して位置決め用のガイドとなっている。
【００１５】
［固定手段］
ケース本体１のコーナー部６にコーナー部材１０を嵌着し、掛止突出片１３を覆いソケット部１１の端部と接するようにケース本体１の周縁部３の上縁にフレーム部材２０を嵌着する。
そして、本実施例では固定手段の一例として超音波溶着を用い、フレーム部材２０と掛止突出片１３の重なつた外側および内側部分（図４のブランク８を用いた場合など）、または、外側がフレーム部材２０と掛止突出片１３の重なった部分で内側がフレーム部材２０と周縁部３との重なった部分（図６のブランク８を用いた場合など）において一体的に溶着して、ケースの組立が完了する。
上記実施例では固定手段として超音波溶着を例示したが、その他の公知のプラスチック溶着を用いることができる。
【００１６】
［突部］
ここで掛止突出片１３の一方または双方の側面部に凹凸部または相互に離間した複数の突部１６が形成することが好ましい。
図１、図７の実施例の場合、掛止突出片１３の内側の壁面にピッチの長い横断面が波形の凹凸面１６ａを形成し、外側の壁面にはピッチの短い横断面が波形の凹凸面１６ｂを形成している。
【００１７】
これにより、前記溶着時に溶融した樹脂が凹凸面の凹部内に逃げて外側にはみ出したり盛り上がることがなく、きれいに仕上げることができる。
外側のピッチを狭めたのは、溶着時の溶着点が凹凸でずれずに正確に行うためであり、内側のピッチを広めたのは、溶融した樹脂を収納しやすくするためである。
【００１８】
上記実施例では掛止突出片１３の横断面を波形とした場合を例示したが、縦断面が波形や凹凸断面からなる凹凸面であってもよい。
また、凹凸面に限らず、後述のように掛止突出片１３の壁面に相互に離間した複数の突部１６ｃを形成するものでもよい（図８参照）。
【００１９】
次ぎに、本実施例では、前記ソケット部１１の縦断面がフレーム部材２０の端部の縦断面とほぼ同一に形成されている。
従つて、切欠部４に嵌合された掛止突出片１３にフレーム部材２０の端部側を外嵌した際に、フレーム部材２０の上面２０ａおよび両側面２０ｂが、ソケット部１１の上面１１ａおよび両側面１１ｂと同一面となるように形成されている。
これによりコーナー部材１０とフレーム部材２０とを固定しても、両者の上面および両側面は、同一面上に設定されるので、段部が形成されることがない。
【００２０】
この発明では、上面および両側面の少なくともいずれか１面が同一面となるものでもよい。
例えば、フレーム部材２０の内側となる側面２０ｂを、ソケット部１１の内側の側面１１ｂと同一面となるように形成すれば、ケースの開口部に凹凸が生じないので最大にすることができる。
【００２１】
また、フレーム部材２０の上面２０ａを、ソケット部１１の上面１１ａと同一面となるように形成すれば、上面２０ａと１１ａとが同一面となるのでスタッキングした際にぐらつく虞れがない。
また、フレーム部材２０の外側となる側面２０ｃを、ソケット部１１の外側の側面１１ｃと同一面となるように形成すれば、ケースの上部の外側面に凹凸が生じないので、効率的に横並びすることができる。
【実施例２】
【００２２】
図６、図７には異なる実施例を示す。
図６に示すブランク８は、１枚のプラスチックダンボールのシートを折り曲げてケースを組み立てるものであり、中央に底壁部形成片２’が形成され、該底壁部形成片２’の図中左右の縁部に沿って左右の周壁部形成片３ａ’が折曲線Ｌ２を介して連接され、底壁部形成片２’の図中上下の縁部に沿って前後の周壁部形成片３ｂ’が折曲線Ｌ３を介して連接される。
【００２３】
また、前後の周壁部形成片３ｂ’の図中左右方向には、折曲線Ｌ４を介して補強片３ｃが連設されており、ケース本体１の組立時に左右の周壁部形成片３ａ’の内側で重なるようになっている。
そして、前記左右の周壁部形成片３ａ’および前後の周壁部形成片３ｂ’の外縁部の図中左右の端部近傍にそれぞれ切欠部４が穿設されている。
【００２４】
これによりブランク８を用いて上面が開口し、底壁部２と、該底壁部２の縁部に沿って立ち上がる４つの周壁部３とを有するケース本体１が組み立てられ、コーナー部６の一方の周壁部は周壁部形成片３ａ’のシートと補強片３ｃのシートが二重に重なっている。
【００２５】
コーナー部材１０の嵌合溝１２の幅は、前述のように嵌合する周壁部３の厚みに対応して定められる。
そこで、前記図６で示したブランク８を用いた場合に、コーナー部６で隣接する周壁部３の一方が周壁部形成片３ａ’と補強片３ｃとが重なって二重の厚みとなるので、図７に示すように、ソケット部１１の一方の嵌合溝（説明の便宜上１２’とする）の幅を他方の嵌合溝１２の幅の２倍に設定している。
【００２６】
この場合、切欠部４は周壁部形成片３ａ’のみに形成し、補強片３ｃには形成していないので、掛止突出片１３は、嵌合溝１２’の半分の厚みに設定しているが、補強片３ｃの対応位置にも周壁部形成片３ａ’の切欠部４と整合する切欠部を形成する場合には、掛止突出片１３を２倍の厚みに設定することができる。
【００２７】
上記実施例では、コーナーの一方の周壁部が他方より厚みが厚い場合を例示したが、両方とも厚みが厚い場合でもよい。
同様に掛止突出片の厚みは、周壁部に形成される嵌合溝の厚みに対応して設定することが好ましい。
その他の構成は前記実施例と同様であるので、同一構成には同一符号を付してその説明を省略する。
【実施例３】
【００２８】
図８には突部の異なる実施例を示す。
掛止突出片１３に形成される突部は、凹凸面に限らず相互に離間した複数の突部１６ｃからなるものでもよい。
この突部１６ｃは、縦向きに延びるものであっても、横向きに延びるものであってもよい。
【００２９】
図８に示す掛止突出片１３では、掛止突出片１３の両面に横向きに延びる突部１６ｃが形成されている。
この場合もプラスチック溶着などの公知手段によりフレーム２０と掛止突出片１３とを溶着した際に溶融した樹脂を突部間に逃がすことができる。
また、超音波溶着を行う場合には、その条件を調整することでフレーム部材２０の表面に溶着痕が残らないで固着することもできる。
この場合、上記突部１６ｃを用いる場合は、突部１６ｃ部分を溶融してフレームや周壁部に融着しやすくなり、より有利になる。
その他の構成は前記実施例１に準じるので、その説明を省略する。
【００３０】
この発明ではケース本体は前記各実施例に限定されず、一または複数のブラン
クを用いて一体に組み立てられるものであればよい。
また、ケース本体は直方体の場合を例示したが、立方体や横断面が多角形状の筒体、横断面が円形や楕円形の筒体など任意の箱形状の場合にも適用することができる。
その他、要するにこの発明の要旨を変更しない範囲で種々設計変更しうること勿論である。
【図面の簡単な説明】
【００３１】
【図１】実施例１のコーナー部構造の取付状態を示す分解斜視図である。
【図２】組立式ケースの斜視図である。
【図３】（ａ）はコーナー部構造の斜視図、（ｂ）はコーナー部材とフレーム部材の取付状態を示す要部の側面図である。
【図４】（ａ）はケース本体の第１ブランクを示す展開図、（ｂ）はケース本体の第２ブランクを示す展開図である。
【図５】（ａ）はコーナー部材の平面図、（ｂ）は同底面図、（ｃ）は正面図、（ｄ）は（ａ）のｄ−ｄ断面図である。
【図６】実施例２のコーナー部構造のケース本体に用いるブランクの一例を示す展開図である。
【図７】実施例２のコーナー部の取付状態を示す図であって（ａ）は斜視図、（ｂ）は同底面図である。
【図８】（ａ）は実施例３のコーナー部材を示す平面図、（ｂ）は同平面図である。
【符号の説明】
【００３２】
１    ケース本体
２    底壁部
３    周壁部
４    切欠部
５    シート片
６    コーナー部
１０    コーナー部材
１１    ソケット部
１２    嵌合溝
１３    掛止突出片
１４    上面部
１５    側面部
１６    突部
２０    フレーム部材
２１    外嵌溝
【図１】
0005065990.tif 000002
【図２】
0005065990.tif 000003
【図３】
0005065990.tif 000004
【図４】
0005065990.tif 000005
【図５】
0005065990.tif 000006
【図６】
0005065990.tif 000007
【図７】
0005065990.tif 000008
【図８】
0005065990.tif 000009